(57)【要約】【課題】コンテンツ表示装置において、コンテンツ一覧画面の表示を迅速に行う。【解決手段】デジタルメディアプレーヤは、コンテンツやコンテンツ情報等を受信するためのネットワークインタフェースと、表示部と、制御用マイコンとを備える。制御用マイコンは、サーバ上からコンテンツ情報を受信し（Ｓ１）、任意の条件でソートし（Ｓ２）、ソート後のコンテンツ情報をページ単位で管理する（Ｓ３）。そして、制御用マイコンは、上記Ｓ３の処理で管理したページのうちの表示部に表示するページ（以下、現ページ）に含まれるコンテンツ情報に対応するコンテンツを取得する（Ｓ４）と共に、現ページの次ページに含まれるコンテンツ情報に対応するコンテンツと、現ページの前ページに含まれるコンテンツ情報に対応するコンテンツとを取得する（Ｓ５）。そして、制御用マイコン２１は、現ページを表示部に表示する（Ｓ６）。【選択図】図４
2008310482.tif 000002
【特許請求の範囲】
【請求項１】
画像等のコンテンツが記録された記録媒体を有するサーバとネットワークを介して接続され、
前記サーバから前記コンテンツ等を受信する受信手段と、
前記コンテンツ等の表示を行うための表示手段と、
前記コンテンツ等の表示や装置各部の制御を行うための制御手段とを備えるコンテンツ表示装置において、
前記サーバの前記記録媒体は、前記コンテンツの内容に対応したコンテンツ情報を記録しており、
前記コンテンツ表示装置は、
任意の数のコンテンツ情報をページ単位で管理するコンテンツ情報管理手段をさらに備え、
前記受信手段は、前記コンテンツに加えて、前記コンテンツ情報を前記サーバから受信し、
前記制御手段は、
前記サーバに記録されているコンテンツの一覧画面を前記表示手段に表示するとき、前記受信手段を用いて、前記コンテンツ情報を受信し、前記コンテンツ情報管理手段を用いて、該受信手段を用いて受信したコンテンツ情報をページ単位で管理し、
前記受信手段を用いて、その時点で前記表示手段に表示するページ（以下、現ページという）に含まれるコンテンツ情報に対応するコンテンツを取得して、取得したコンテンツ、取得したコンテンツのサムネイル画像、又は取得したコンテンツのオープニング画像を該表示手段に表示すると共に、該受信手段を用いて、現ページの次ページに含まれるコンテンツ情報に対応するコンテンツと、現ページの前ページに含まれるコンテンツ情報に対応するコンテンツとを取得することを特徴とするコンテンツ表示装置。
【請求項２】
前記コンテンツ表示装置は、
前記受信手段を用いて取得したコンテンツ情報を任意の条件によりソートするコンテンツ情報ソート手段をさらに備え、
前記制御手段は、
前記サーバに記録されているコンテンツの一覧画面を前記表示手段に表示するとき、前記受信手段を用いて、前記コンテンツ情報を受信し、受信したコンテンツ情報を、前記コンテンツ情報ソート手段を用いて任意の条件によりソートし、ソート後のコンテンツ情報を、前記コンテンツ情報管理手段を用いてページ単位で管理することを特徴とする請求項１に記載のコンテンツ表示装置。
【発明の詳細な説明】
【技術分野】
【０００１】
本発明は、コンテンツ表示装置に関し、特にコンテンツ一覧画面の表示技術に関する。
【背景技術】
【０００２】
従来、画像等のコンテンツが記録されたサーバにネットワークを介して接続されたデジタルメディアプレーヤにおいて、複数のサーバからコンテンツを取得して、取得したコンテンツをソートし、ソート後のコンテンツをページ毎に表示する画面、所謂、コンテンツ一覧画面を表示するものが知られている。この種のデジタルメディアプレーヤは、コンテンツ一覧画面を表示するために、サーバ上の全てのコンテンツを取得するため、コンテンツ一覧画面の表示時間がかかるという問題がある。
【０００３】
これに対して、特許文献１には、コンテンツが蓄積されているサーバやコンテンツが記録されている外部メディアを選択しなくてもコンテンツを選択再生可能なシステムが開示されている。また、特許文献２には、コンテンツの内容に対応したコンテンツ情報を一元管理するサーバを有するコンテンツ情報管理システムが開示されている。また、特許文献３には、コンテンツに応じた固有識別子情報をコンテンツ情報として設定し、サーバ間でコンテンツの移動を行った場合でも、コンテンツの取得が容易になるシステムが開示されている。しかし、これらのシステムでは、コンテンツ一覧画面の表示時間を短縮することができない。
【特許文献１】特開２００７−７２７２７号公報
【特許文献２】特開２００６−２２７８４３号公報
【特許文献３】特開２００４−２３４１５８号公報
【発明の開示】
【発明が解決しようとする課題】
【０００４】
本発明は、上記問題を解決するためになされたものであり、コンテンツ一覧画面の表示を迅速に行うことができるコンテンツ表示装置を提供することを目的とする。
【課題を解決するための手段】
【０００５】
上記目的を達成するために請求項１の発明は、画像等のコンテンツが記録された記録媒体を有するサーバとネットワークを介して接続され、前記サーバから前記コンテンツ等を受信する受信手段と、前記コンテンツ等の表示を行うための表示手段と、前記コンテンツ等の表示や装置各部の制御を行うための制御手段とを備えるコンテンツ表示装置において、前記サーバの前記記録媒体は、前記コンテンツの内容に対応したコンテンツ情報を記録しており、前記コンテンツ表示装置は、任意の数のコンテンツ情報をページ単位で管理するコンテンツ情報管理手段をさらに備え、前記受信手段は、前記コンテンツに加えて、前記コンテンツ情報を前記サーバから受信し、前記制御手段は、前記サーバに記録されているコンテンツの一覧画面を前記表示手段に表示するとき、前記受信手段を用いて、前記コンテンツ情報を受信し、前記コンテンツ情報管理手段を用いて、該受信手段を用いて受信したコンテンツ情報をページ単位で管理し、前記受信手段を用いて、その時点で前記表示手段に表示するページ（以下、現ページという）に含まれるコンテンツ情報に対応するコンテンツを取得して、取得したコンテンツ、取得したコンテンツのサムネイル画像、又は取得したコンテンツのオープニング画像を該表示手段に表示すると共に、該受信手段を用いて、現ページの次ページに含まれるコンテンツ情報に対応するコンテンツと、現ページの前ページに含まれるコンテンツ情報に対応するコンテンツとを取得するものである。
【０００６】
請求項２の発明は、請求項１に記載のコンテンツ表示装置において、前記コンテンツ表示装置は、前記受信手段を用いて取得したコンテンツ情報を任意の条件によりソートするコンテンツ情報ソート手段をさらに備え、前記制御手段は、前記サーバに記録されているコンテンツの一覧画面を前記表示手段に表示するとき、前記受信手段を用いて、前記コンテンツ情報を受信し、受信したコンテンツ情報を、前記コンテンツ情報ソート手段を用いて任意の条件によりソートし、ソート後のコンテンツ情報を、前記コンテンツ情報管理手段を用いてページ単位で管理するものである。
【発明の効果】
【０００７】
本発明によれば、コンテンツの一覧画面を表示するとき、現ページに含まれるコンテンツ情報に対応するコンテンツを取得して、取得したコンテンツ、取得したコンテンツのサムネイル画像、又は取得したコンテンツのオープニング画像を表示する。そのため、従来のように、コンテンツ一覧画面を表示するときに、全てのコンテンツを取得しないので、コンテンツ一覧画面の表示を迅速に行うことができる。
【０００８】
また、コンテンツの一覧画面を表示するときに、現ページの次ページに含まれるコンテンツ情報に対応するコンテンツと、現ページの前ページに含まれるコンテンツ情報に対応するコンテンツとを取得する。そのため、表示されるページが、現ページから次ページ又は前ページに切り替っても、次ページ及び前ページのコンテンツを予め取得しているので、コンテンツ一覧画面の表示を迅速に行うことができる。
【発明を実施するための最良の形態】
【０００９】
以下、本発明の一実施形態に係るデジタルメディアプレーヤ（コンテンツ表示装置）について、図１乃至図３を参照して説明する。図１は、デジタルメディアプレーヤ２と、複数のデジタルコンテンツサーバ３（デジタルコンテンツサーバ３ａ〜３ｄの総称；以下、サーバという）とがネットワークルータ４を介して接続されたネットワークシステム１の概略を示し、図２は、サーバ３の内部構成を示すブロック図であり、図３は、デジタルメディアプレーヤ２の内部構成を示すブロック図である。
【００１０】
サーバ３は、図２に示すように、ネットワークに接続するためのネットワークインタフェース３２と、画像等のコンテンツが記録されたＨＤＤ（ハードディスクドライブ）３３と、装置各部を制御するための制御用マイコン３１とを備える。
【００１１】
ＨＤＤ３３には、コンテンツのデータに加えて、コンテンツの内容に対応したメタデータ（以下、コンテンツ情報という）がさらに記録されている。コンテンツ情報には、コンテンツのカテゴリ、タイトル、作成日付、及びデータサイズ等の情報が含まれる。
【００１２】
デジタルメディアプレーヤ２は、図３に示すように、サーバ３からコンテンツやコンテンツ情報等を受信するためのネットワークインタフェース（受信手段）２６と、音声等を出力するスピーカ２２と、コンテンツ等を表示するための表示部（表示手段）２５と、ユーザによって操作され、装置各部を指示するための操作部２４とを備える。
【００１３】
また、デジタルメディアプレーヤ２は、コンテンツ等の表示や装置各部の制御を行うための制御用マイコン（制御手段）２１と、制御用マイコン２１を動作させるためのプログラムや、コンテンツ情報や、コンテンツ一覧画面等の情報を記憶するためのメモリ２３とをさらに備える。
【００１４】
制御用マイコン２１は、請求項におけるコンテンツ情報管理手段、及びコンテンツ情報ソート手段として機能する。
【００１５】
次に、コンテンツ一覧画面を表示する手順について、図４に示すフローチャートを参照して説明する。まず、制御用マイコン２１は、サーバ３上から複数のコンテンツ情報を受信し（Ｓ１）、受信した複数のコンテンツ情報を、任意の条件、例えば、コンテンツ情報に含まれるコンテンツの作成日時を条件にしてソートする（Ｓ２）。
【００１６】
そして、上記Ｓ２の処理によるソート後の複数のコンテンツ情報を、制御用マイコン２１はページ単位で管理する（Ｓ３）。具体的には、任意の数のコンテンツ情報、例えば、３つのコンテンツ情報を１ページとする。
【００１７】
そして、制御用マイコン２１は、上記Ｓ３の処理で管理したページのうち、その時点で表示部２５に表示するページ（以下、現ページという）に含まれるコンテンツ情報に対応するコンテンツを取得する（Ｓ４）と共に、現ページの次ページに含まれるコンテンツ情報に対応するコンテンツと、現ページの前ページに含まれるコンテンツ情報に対応するコンテンツとを取得する（Ｓ５）。表示部２５に表示するページは、ユーザが操作部２４を操作することにより、任意に切替えることが可能である。
【００１８】
そして、制御用マイコン２１は、上記Ｓ４の処理により取得した現ページのコンテンツに基づくコンテンツ一覧画面を表示部２５に表示する（Ｓ６）。表示部２５に表示されるコンテンツ一覧画面は、取得したコンテンツ自体であってもよいし、取得したコンテンツが静止画の場合、この静止画のサムネイル画像であってもよい。また、取得したコンテンツが動画の場合、動画のオープニング画像等であってもよい。
【００１９】
次に、上記Ｓ３の処理におけるページ管理について、図５を参照して説明する。図５は、サーバ３ａ〜３ｄと、各サーバ３ａ〜３ｄに記録されているコンテンツＡ〜Ｉのコンテンツ情報を示す概念図である。
【００２０】
図５に示すように、サーバ３ａにはコンテンツＡとコンテンツＥとが記録され、サーバ３ｂにはコンテンツＣとコンテンツＧとコンテンツＩとが記録されている。また、サーバ３ｃにはコンテンツＢとコンテンツＤとが記録され、サーバ３ｄにはコンテンツＦとコンテンツＨとが記録されている。
【００２１】
上記各コンテンツＡ〜Ｉのコンテンツ情報ＩＡ〜ＩＩは、デジタルメディアプレーヤ２の制御用マイコン２１（図３参照）によって取得され、例えば、コンテンツ情報ＩＡ〜ＩＩの順にソートされる（上記Ｓ２に相当）。そして、３つのコンテンツ情報を１ページ単位として管理され(上記Ｓ３に相当)、ユーザによってコンテンツ情報ＩＤ〜ＩＦが現ページ５ｂに表示される画像として選択されたとすると、デジタルメディアプレーヤ２の制御用マイコン２１は、現ページ５ｂに含まれるコンテンツ情報ＩＤ〜ＩＦに対応するコンテンツＤ〜Ｆ、前ページ５ａに含まれるコンテンツ情報ＩＡ〜ＩＣに対応するコンテンツＡ〜Ｃ、次ページ５ｃに含まれるコンテンツ情報ＩＧ〜ＩＩに対応するコンテンツＧ〜Ｉを取得する。
【００２２】
次に、表示部２５に表示されるコンテンツ一覧画面について、図６を参照して説明する。図６（ａ）（ｂ）（ｃ）は、それぞれ表示部２５に表示された、上記図５に示した前ページ５ａ、現ページ５ｂ、次ページ５ｃに含まれるコンテンツ情報に対応したコンテンツを示す。ここでは、コンテンツＡ〜Ｉは、静止画コンテンツであるとする。
【００２３】
図６において、表示領域５１は、各コンテンツＡ〜Ｉのサムネイル画像が表示される領域であり、「前へ」ボタン５２は、コンテンツ一覧画面を前ページに切替える操作ボタンであり、「次へ」ボタン５３は、コンテンツ一覧画面を次ページに切替える操作ボタンである。
【００２４】
現ページ５ｂを表示しているとき、図６（ｂ）に示すように、表示部２５にはコンテンツＤ〜Ｆが表示されている。このとき、メディアプレーヤ２は、前ページ５ａと次ページ５ｃに含まれるコンテンツを受信している。
【００２５】
現ページ５ｂを表示しているとき、ユーザによって「次へ」ボタン５３が操作されると、図６（ｃ）に示すように、表示部２５にはコンテンツＧ〜Ｉが表示される。一方、ユーザによって「前へ」ボタン５２が操作されると、図６（ａ）に示すように、表示部２５にはコンテンツＡ〜Ｃが表示される。
【００２６】
上述したように、本実施形態に係るデジタルメディアプレーヤ２によれば、コンテンツの一覧画面を表示するとき、現ページに含まれるコンテンツ情報に対応するコンテンツを取得して、取得したコンテンツ、取得したコンテンツのサムネイル画像、又は取得したコンテンツのオープニング画像を表示する。そのため、従来と異なり、コンテンツ一覧画面を表示するとき、全てのコンテンツを取得しないので、コンテンツ一覧画面の表示を迅速に行うことができる。
【００２７】
また、コンテンツの一覧画面を表示するとき、現ページの次ページに含まれるコンテンツ情報に対応するコンテンツと、現ページの前ページに含まれるコンテンツ情報に対応するコンテンツとを取得する。そのため、表示されるページが、現ページから次ページ又は前ページに切り替っても、次ページ及び前ページのコンテンツを予め取得しているので、コンテンツ一覧画面の表示を迅速に行うことができる。
【００２８】
なお、本発明は、上記実施形態の構成に限られず、発明の趣旨を変更しない範囲で種々の変形が可能である。例えば、上記の実施形態では、コンテンツが静止画である場合を示したが、動画や音声データであってもよい。
【図面の簡単な説明】
【００２９】
【図１】本発明の一実施形態に係るデジタルメディアプレーヤとデジタルコンテンツサーバとを含むネットワークシステムの概略図。
【図２】上記デジタルコンテンツサーバの内部構成を示すブロック図。
【図３】上記デジタルメディアプレーヤの内部構成を示すブロック図。
【図４】上記デジタルメディアプレーヤのコンテンツ一覧画面表示処理の手順を示すフローチャート。
【図５】上記コンテンツ一覧画面表示処理におけるページ管理処理の説明図。
【図６】（ａ）（ｂ）（ｃ）は、それぞれ上記デジタルメディアプレーヤの表示部に表示されるコンテンツ一覧画面を示す説明図。
【符号の説明】
【００３０】
２  デジタルメディアプレーヤ（コンテンツ表示装置）
３  デジタルコンテンツサーバ（サーバ）
３ａ  デジタルコンテンツサーバ（サーバ）
３ｂ  デジタルコンテンツサーバ（サーバ）
３ｃ  デジタルコンテンツサーバ（サーバ）
３ｄ  デジタルコンテンツサーバ（サーバ）
５ａ  前ページ
５ｂ  現ページ
５ｃ  次ページ
２１  制御用マイコン（制御手段）
２５  表示部（表示手段）
２６  ネットワークインタフェース（受信手段）
３３  ＨＤＤ（記憶手段）
【図１】
2008310482.tif 000003
【図２】
2008310482.tif 000004
【図３】
2008310482.tif 000005
【図４】
2008310482.tif 000006
【図５】
2008310482.tif 000007
【図６】
2008310482.tif 000008